(57)【要約】【課題】瞬間的な停電によってラッチ回路がラッチ状態に移行し、冷陰極管が消灯されるという事態が生じたとき、自動で冷陰極管の点灯を再開させる。【解決手段】動作電源の供給を停止することによってのみラッチ状態の解除が可能なラッチ回路２４を内部に有し、放電管１７の点灯動作に異常を検出したときにはラッチ回路２４がラッチ状態となり、スイッチング動作を停止させる保護回路２３を備えた構成において、ラッチ回路２４に供給される動作電源の経路の接続を開閉するスイッチ回路１１と、直流出力Ｖ＋の電圧が放電管１７の点灯動作に異常を生じさせる電圧より一時的に低くなったことを検出したときには、スイッチ回路１１の接続を開くことによってラッチ回路２４のラッチ状態を解除した後、スイッチ回路１１の接続を閉じる制御手段１８とを備えている。【選択図】  図１
2004355865.tif 000002
【特許請求の範囲】
【請求項１】
冷陰極管等の放電管を点灯する点灯出力を二次コイルから出力する昇圧トランスと、
スイッチング制御回路から出力されるスイッチング信号に従って昇圧トランスの一次コイルに流れる電流をスイッチングするスイッチング回路と、
ラッチ回路への動作電源の供給を停止することによってのみラッチ状態の解除が可能なラッチ回路を内部に有し、放電管の点灯における動作に異常を検出したときにはラッチ回路がラッチ状態となるとともに、ラッチ回路がラッチ状態にあるときにはスイッチング回路のスイッチング動作を停止させる保護回路とを備え、
スイッチング制御回路と保護回路とはともに同じＩＣ素子内に集積化され、商用電源を一次側入力とする直流電源から送出される直流出力によって動作する放電管点灯装置において、
前記ＩＣ素子に供給される動作電源の経路の接続を開閉するスイッチ回路と、
前記ＩＣ素子に供給される動作電源の電圧が一時的に前記ＩＣ素子の動作電源の許容最低電圧より低くなったことを検出したときには、スイッチ回路の接続を開くことによってラッチ回路のラッチ状態を解除した後、スイッチ回路の接続を閉じる制御手段とを備えたことを特徴とする放電管点灯装置。
【請求項２】
冷陰極管等の放電管を点灯する点灯出力を二次コイルから出力する昇圧トランスと、
昇圧トランスの一次コイルに流れる電流をスイッチングするスイッチング回路と、
ラッチ回路への動作電源の供給を停止することによってのみラッチ状態の解除が可能なラッチ回路を内部に有し、放電管の点灯における動作に異常を検出したときにはラッチ回路がラッチ状態となるとともに、ラッチ回路がラッチ状態にあるときにはスイッチング回路のスイッチング動作を停止させる保護回路とを備え、
商用電源を一次側入力とする直流電源から送出される直流出力によって動作する放電管点灯装置において、
ラッチ回路に供給される動作電源の経路の接続を開閉するスイッチ回路と、
前記直流電源から送出される直流出力の電圧が一時的に放電管の点灯動作に異常を生じさせる電圧まで低下したことを検出したときには、スイッチ回路の接続を開くことによってラッチ回路のラッチ状態を解除した後、スイッチ回路の接続を閉じる制御手段とを備えたことを特徴とする放電管点灯装置。
【請求項３】
スイッチング回路は、スイッチング制御回路から出力されるスイッチング信号に従って一次コイルに流れる電流をスイッチングすることを特徴とする請求項２記載の放電管点灯装置。
【請求項４】
スイッチング回路は、昇圧トランスに巻回された帰還用コイルの出力に基づいて自励発振を行うことにより、一次コイルに流れる電流をスイッチングすることを特徴とする請求項２記載の放電管点灯装置。
【発明の詳細な説明】
【０００１】
【発明の属する技術分野】
本発明は、放電管の点灯における動作に異常を検出したときにはラッチ回路がラッチ状態となるとともに、ラッチ回路がラッチ状態にあるときにはスイッチング回路のスイッチング動作を停止させる保護回路を備えた放電管点灯装置に関するものである。
【０００２】
【従来の技術】
液晶テレビ受像機が必要とするバックライトの光源には冷陰極管が用いられている。図７は、この冷陰極管を点灯駆動する装置の従来技術を示している（第１の従来技術とする）。すなわち、この構成においては、輝度制御回路２１とスイッチング制御回路２２と保護回路２３とが集積化されたＩＣ素子１２が用いられている。そして、スイッチング制御回路２２が生成した信号を用いてスイッチング回路１３の動作を制御することにより、昇圧トランス１４の一次コイルＬ１１に流れる電流をスイッチングしている。また、二次コイルＬ１２を冷陰極管１７に導くとともに、二次コイルＬ１２に発生する電圧を検出する電圧検出回路１５を設けている。そして、検出した電圧を示す電圧検出信号１５１を保護回路２３に導いている。また、冷陰極管１７への電流経路に電流検出回路１６を挿入することによって、冷陰極管１７に流れる電流を検出している。そして、検出した電流値を示す電流検出信号１６１を輝度制御回路２１に出力している。また、この電流検出信号１６１は、輝度制御回路２１において、輝度を指示する輝度信号ＢＲ１との演算が行われた後、スイッチング制御回路２２と保護回路２３とに出力されている。
【０００３】
また、ＩＣ用電源制御回路１１を設けることによって、直流出力Ｖ＋から、ＩＣ素子１２が必要とする５ＶのＩＣ用プラス出力１１１を生成している。また、このＩＣ用プラス出力１１１を、マイクロコンピュータ（制御手段９１）からの制御出力ＣＯＮ１を用いてオンオフしている。このため、制御出力ＣＯＮ１を用いてＩＣ用プラス出力１１１をオン状態（５Ｖの出力状態）とするときには、ＩＣ素子１２が所定動作を行い、スイッチング回路１３がスイッチング動作を行う。従って、冷陰極管１７が点灯駆動される。一方、制御出力ＣＯＮ１を用いてＩＣ用プラス出力１１１をオフ状態（０Ｖの状態）とするときには、ＩＣ素子１２が動作を停止し、スイッチング回路１３のスイッチング動作も停止される。従って、冷陰極管１７の点灯駆動が停止される。
【０００４】
また、以下に示す従来技術が提案されている（第２の従来技術とする）。すなわち、この技術では、液晶表示パネルを用いた表示装置において、電源ラインのオンオフ、あるいは、瞬間的な電圧の低下を検出する手段を設けている。そして、電源ラインのオフや瞬間的な電圧の低下を検出したときには、電源ラインの電圧が所定の電圧に復帰し、液晶表示パネルの表示が安定するまでの期間において、ディスプレイオフ信号を非表示レベルとしている。このため、表示が安定しない期間においては液晶表示パネルの表示が停止されるので、瞬間的な停電が生じたときにも、画面の乱れの発生が防止される（例えば、特許文献１参照）。
【０００５】
また、車載用の高輝度放電灯の点灯装置の従来技術として、以下に示す構成が開示されている（第３の従来技術とする）。すなわち、この技術においては、動作電源の電圧が第１の電圧を超えたときにスタート信号の出力を示すＨレベルを出力してインバータの動作を開始させ、動作電源の電圧が第１の電圧より少し低い電圧である第２の電圧より低くなったときにスタート信号の出力停止であるＬレベルを出力してインバータの動作を停止させる構成を用いている。そして、Ｈレベルを出力するときの時定数を、Ｌレベルを出力するときの時定数より短くしている。このため、動作電源の供給側に設けられたコネクタがルーズコンタクト（緩い接触）であることから、瞬間的な動作電源の供給停止が発生するときにも、高輝度放電灯が消灯するという事態の発生が防止されるようになっている（例えば、特許文献２参照）。
【０００６】
【特許文献１】
特開平９−６２２２３号公報
【特許文献２】
特開平６−２２３９８６号公報（第００１７段落、図４）
【０００７】
【発明が解決しようとする課題】
しかしながら、第１の従来技術を用いた場合には、以下に示す問題を生じていた。すなわち、二次コイルＬ１２の出力電圧は、点灯の起動時では１０００Ｖを超える電圧であり、定常状態においても数１００Ｖの電圧となっている。従って、異常が生じたときに、動作を継続することは極めて危険である。このため、保護回路２３は、電圧検出信号１５１が、二次コイルＬ１２の出力電圧の異常な上昇を示すときには、内部のラッチ回路２４を、非ラッチ状態からラッチ状態に移行させて、スイッチング制御回路２２の動作を停止させ（スイッチング回路１３の動作も停止する）、二次コイルＬ１２からの出力を停止させている。また、電流検出信号１６１の出力が、電流値の異常な減少を示すときには、冷陰極管１７の電流経路に異常が生じている（例えば、冷陰極管１７が取り外された）として、内部に設けられたラッチ回路２４を、非ラッチ状態からラッチ状態に移行させ、二次コイルＬ１２からの出力を停止させている。
【０００８】
また、このラッチ状態は、ＩＣ用プラス出力１１１の供給が停止されない限りは、保持されるようになっている。すなわち、二次コイルＬ１２の出力における電圧や電流に異常が検出されたときには、異常の原因が取り除かれることなく、再び、二次コイルＬ１２から高圧を出力するような事態が起きないようになっている。一方、ＩＣ素子１２においては、ＩＣ用プラス出力１１１の電圧が、ＩＣ素子１２に許容された動作電源の電圧の最低値（許容最低電圧）より低くなる事態が生じた場合にも、保護回路２３を動作させて、上記したラッチ回路２４を非ラッチ状態からラッチ状態に移行させ、スイッチング制御回路２２の動作を停止させる。
【０００９】
このため、例えば、商用電源の瞬間的な停電によって、直流出力Ｖ＋に一時的な電圧低下が生じ、ＩＣ用プラス出力１１１の電圧が瞬間的に３Ｖまで低下した、といったように、ＩＣ用電源制御回路１１の電圧が、瞬間的ではあるが、許容最低電圧より低くなる（０Ｖまでは低下しない）ような事態が生じた場合、保護回路２３におけるラッチ回路２４は、ラッチ状態に移行した後、解除されなくなる。つまり、瞬間的な停電によってラッチ回路２４がラッチ状態に移行し、動作が停止したときには、制御出力ＣＯＮ１を用いてＩＣ用プラス出力１１１を０Ｖとした後、再度、５Ｖにしない限りは停止状態が解除されない。一方、制御出力ＣＯＮ１は、電源キー３３を用いて電源オンとするときには、ＩＣ用プラス出力１１１を５Ｖとし、電源キー３３を用いて電源オフとするときには、ＩＣ用プラス出力１１１を０Ｖにする。このため、瞬間的な停電によってラッチ回路２４がラッチ状態になったときには、電源キー３３を操作して電源オフにした後、再度電源キー３３を操作して電源オンとする必要がある。このため、瞬間的な停電が生じたことから、冷陰極管１７の点灯駆動が停止状態となった場合、再び点灯するには、煩わしい操作が必要となっていた。
【００１０】
なお、ＡＣアダプタ１９内の平滑用のコンデンサの容量を大きなものとする場合には、瞬間的な停電が生じるときにも、直流出力Ｖ＋に、動作の異常を招くような電圧の低下が発生しないようにすることができる。しかし、この方法を用いる場合では、コンデンサの形状が大きく且つ高価となるため、ＡＣアダプタ１９の形状の大型化を招く。また、ＡＣアダプタ１９の部品原価の大幅な上昇を招くので、採用するには困難となっている。
【００１１】
第２の従来技術は、動作電源の電圧の一時的な低下を検出したときには、動作電源の電圧を制御することなく、単に、液晶表示パネルの表示の開始を遅らせるようになっているに過ぎない。従って、瞬間的な停電によって冷陰極管の点灯駆動が停止されたとき、電源をオフにした後、再度、電源をオンにするという操作を不要にしたいという観点からする場合では、第２の従来技術は適用することが困難な技術となっている。
【００１２】
また、第３の従来技術は、動作電源の供給において、瞬間的な中断が生じたときに、放電灯が消灯するという事態の発生を少なくするとともに、消灯という事態が生じたときにも、スイッチの素早い操作で、放電灯を再度点灯させることを可能にする技術となっている。従って、瞬間的な停電によって冷陰極管の点灯駆動が停止されたとき、電源をオフにした後、再度、電源をオンにするという操作を不要にしたいという観点からする場合では、第３の従来技術は適用することが困難な技術となっている。
【００１３】
本発明は上記課題を解決するため創案されたものであって、その目的は、動作電源の供給を停止することによってのみラッチ状態の解除が可能なラッチ回路がラッチ状態となるときには、他励方式のスイッチング動作を停止させる構成において、動作電源の電圧がラッチ回路を含むＩＣの動作電源の許容最低電圧より一時的に低下したことを検出したときには、ラッチ回路への動作電源の供給を停止した後、再度、動作電源の供給を行うことによって、瞬間的な停電によりラッチ回路がラッチ状態に移行して、冷陰極管が消灯されるという事態が生じたときにも、自動的に冷陰極管の点灯を再開させることのできる放電管点灯装置を提供することにある。
【００１４】
また本発明の目的は、動作電源の供給を停止することによってのみラッチ状態の解除が可能なラッチ回路がラッチ状態となるときには、スイッチング動作を停止させる構成において、動作電源の電圧が動作に異常を生じさせる電圧まで一時的に低下したことを検出したときには、ラッチ回路への動作電源の供給を停止した後、再度、動作電源の供給を行うことによって、瞬間的な停電によってラッチ回路がラッチ状態に移行して、冷陰極管が消灯されるという事態が生じたときにも、自動的に冷陰極管の点灯を再開させることのできる放電管点灯装置を提供することにある。
【００１５】
また上記目的に加え、一次コイルに流れる電流のスイッチングを他励方式によって行う構成において、好適に冷陰極管の点灯を自動で再開させることのできる放電管点灯装置を提供することにある。
【００１６】
また上記目的に加え、一次コイルに流れる電流のスイッチングを自励方式によって行う構成において、好適に冷陰極管の点灯を自動で再開させることのできる放電管点灯装置を提供することにある。
【００１７】
【課題を解決するための手段】
上記課題を解決するため本発明に係る放電管点灯装置は、冷陰極管等の放電管を点灯する点灯出力を二次コイルから出力する昇圧トランスと、スイッチング制御回路から出力されるスイッチング信号に従って昇圧トランスの一次コイルに流れる電流をスイッチングするスイッチング回路と、ラッチ回路への動作電源の供給を停止することによってのみラッチ状態の解除が可能なラッチ回路を内部に有し、放電管の点灯における動作に異常を検出したときにはラッチ回路がラッチ状態となるとともに、ラッチ回路がラッチ状態にあるときにはスイッチング回路のスイッチング動作を停止させる保護回路とを備え、スイッチング制御回路と保護回路とはともに同じＩＣ素子内に集積化され、商用電源を一次側入力とする直流電源から送出される直流出力によって動作する放電管点灯装置に適用している。そして、前記ＩＣ素子に供給される動作電源の経路の接続を開閉するスイッチ回路と、前記ＩＣ素子に供給される動作電源の電圧が一時的に前記ＩＣ素子の許容最低電圧より低くなったことを検出したときには、スイッチ回路の接続を開くことによってラッチ回路のラッチ状態を解除した後、スイッチ回路の接続を閉じる制御手段とを備えている。
【００１８】
すなわち、直流電源から送出される直流出力の一時的な電圧低下が原因となって、ラッチ回路がラッチ状態に移行し、放電管が消灯されるという事態が生じた場合、制御手段は、ＩＣ素子への動作電源の供給を停止することによってラッチ回路のラッチ状態を解除した後、ＩＣ素子への動作電源の供給を開始する。従って、このときでは、ラッチ回路は非ラッチ状態にあるので、スイッチング回路はスイッチング動作を再開する。従って放電管は点灯される。
【００１９】
また本発明に係る放電管点灯装置は、冷陰極管等の放電管を点灯する点灯出力を二次コイルから出力する昇圧トランスと、昇圧トランスの一次コイルに流れる電流をスイッチングするスイッチング回路と、ラッチ回路への動作電源の供給を停止することによってのみラッチ状態の解除が可能なラッチ回路を内部に有し、放電管の点灯における動作に異常を検出したときにはラッチ回路がラッチ状態となるとともに、ラッチ回路がラッチ状態にあるときにはスイッチング回路のスイッチング動作を停止させる保護回路とを備え、商用電源を一次側入力とする直流電源から送出される直流出力によって動作する放電管点灯装置に適用している。そして、ラッチ回路に供給される動作電源の経路の接続を開閉するスイッチ回路と、前記直流電源から送出される直流出力の電圧が一時的に放電管の点灯動作に異常を生じさせる電圧まで低下したことを検出したときには、スイッチ回路の接続を開くことによってラッチ回路のラッチ状態を解除した後、スイッチ回路の接続を閉じる制御手段とを備えている。
【００２０】
すなわち、直流電源から送出される直流出力の一時的な電圧低下が原因となって、ラッチ回路がラッチ状態に移行し、放電管が消灯されるという事態が生じた場合、制御手段は、ラッチ回路への動作電源の供給を停止することによってラッチ回路のラッチ状態を解除した後、ラッチ回路への動作電源の供給を開始する。従って、このときでは、ラッチ回路は非ラッチ状態にあるので、スイッチング回路のスイッチング動作が再開され、放電管が点灯される。
【００２１】
また上記構成に加え、スイッチング回路は、スイッチング制御回路から出力されるスイッチング信号に従って一次コイルに流れる電流をスイッチングするようになっている。
【００２２】
また上記構成に加え、スイッチング回路は、昇圧トランスに巻回された帰還用コイルの出力に基づいて自励発振を行うことにより、一次コイルに流れる電流をスイッチングするようになっている。
【００２３】
【発明の実施の形態】
以下に本発明の実施例の形態を、図面を参照しつつ説明する。
図１は、本発明に係る放電管点灯装置の一実施形態の電気的構成を示すブロック線図であり、具体的には、液晶テレビ受像機のバックライトの光源となる冷陰極管を点灯駆動する放電管点灯装置（インバータ）を示している。なお、図７に示す構成と同一となるブロックには、図７における符号と同一符号を付与している。
【００２４】
ＡＣアダプタ（請求項記載の直流電源）１９は、商用電源１００から１２Ｖに安定化された直流出力Ｖ＋を生成して出力する。ＩＣ用電源制御回路１１は、直流出力Ｖ＋から５Ｖに安定化されたＩＣ用プラス出力１１１を生成し、ＩＣ素子１２に出力する。なお、ＩＣ用電源制御回路１１は、請求項記載のスイッチ回路となっていて、制御手段１８から送出される制御出力ＣＯＮ１に従い、内部において直流出力Ｖ＋の経路の接続を開閉することでもって、ＩＣ用プラス出力１１１の電圧を、５Ｖと０Ｖとに切り換える。また、接続の開閉用の経路を介した直流出力Ｖ＋を分圧回路１０に出力する。なお、ＩＣ用電源制御回路１１の回路構成の詳細については、後述する。
【００２５】
分圧回路１０は、入力された電圧（ＩＣ用電源制御回路１１から出力された直流出力Ｖ＋の電圧）を約１／４に分圧するとともに、分圧した電圧を制御手段１８に出力する。制御手段１８は、マイクロコンピュータを主要部として構成されており、液晶テレビ受像機としての主要動作を制御する。このため、液晶テレビ受像機としての主要動作を実行するテレビ受像機部（図示を省略）の動作を制御する。また、電源キー３３が操作され、電源オンとなるときには、ＩＣ用電源制御回路１１から５ＶのＩＣ用プラス出力１１１をＩＣ素子１２に出力させ、電源オフとなるときには、ＩＣ用プラス出力１１１の電圧を０Ｖとする。
【００２６】
ＩＣ素子１２は、冷陰極管（放電管）１７を点灯するインバータ用のＩＣであり、内部に、輝度制御回路２１、スイッチング制御回路２２、および、保護回路２３を備えている。なお、これら３つのブロックは、外付けされるディスクリート素子を含んで構成されている。
【００２７】
スイッチング制御回路２２は、輝度制御回路２１から出力される信号に従って、スイッチング回路１３を駆動するためのスイッチング制御出力２２１を生成し、出力する。輝度制御回路２１は、電圧検出回路１５から出力される電流検出信号１６１のレベルと、制御手段を構成するマイクロコンピュータ（後述する）から出力され、輝度を指示する輝度信号ＢＲ１との演算を行って得られた信号２１１をスイッチング制御回路２２と保護回路２３とに出力する。なお、この信号２１１は、電流検出信号１６１が電流値が０となっていることを示すときには、同様に０を示すようになっている。
【００２８】
保護回路２３は、内部にラッチ回路２４を備えており、このラッチ回路２４は、ＩＣ用プラス出力１１１の電圧が０Ｖから５Ｖとなって、ＩＣ素子１２が動作状態に移行したときには、非ラッチ状態となる。そして、非ラッチ状態にあるラッチ回路２４は、電圧検出回路１５から出力される電圧検出信号１５１が、電圧の異常の上昇を示すとき、あるいは、電流検出回路１６から出力される電流検出信号１６１が電流の０を示すため、信号２１１が０を示すとき、ラッチ状態に移行するようになっている。また、ＩＣ用プラス出力１１１の電圧が低下するときにも、ラッチ状態に移行するようになっている。
【００２９】
そして、ラッチ回路２４がラッチ状態に移行したときには、保護回路２３は、スイッチング制御回路２２の動作を停止させる。また、ラッチ回路２４のラッチ状態は、ＩＣ用プラス出力１１１の電圧を０Ｖ（あるいは０Ｖの近傍値）とする（ＩＣ素子１２への動作電源の供給の停止）ときには解除されるが、外部からの信号等によっては解除されないようになっている。
【００３０】
スイッチング回路１３は、図２に示したように、ＭＯＳＦＥＴからなる４つのスイッチＱ１１〜Ｑ１４から構成されている。そして、これら４つのスイッチＱ１１〜Ｑ１４は、スイッチング制御回路２２からのスイッチング制御出力２２１に従い、スイッチＱ１１，Ｑ１４がオンし、スイッチＱ１２，Ｑ１３がオフする状態と、スイッチＱ１１，Ｑ１４がオフし、スイッチＱ１２，Ｑ１３がオンする状態とを交互に繰り返すことでもって、昇圧トランス１４の一次コイルＬ１１に流れる電流をスイッチングする。
【００３１】
二次コイルＬ１２は、冷陰極管１７を点灯する点灯出力を送出する。このため、二次コイルＬ１２の一方の端子は、コンデンサＣ１１を介して冷陰極管１７に導かれるとともに、他方の端子は、電流検出回路１６を介して、冷陰極管１７に導かれている。電流検出回路１６は、電流経路に挿入された抵抗と、この抵抗の端子間に生じる電圧を整流平滑する回路等からなっており、冷陰極管１７に流れる電流を検出する。そして、検出した電流値を示す電流検出信号１６１を輝度制御回路２１に出力する。電圧検出回路１５は、二次コイルＬ１２の端子間に発生する電圧を分圧する分圧回路、分圧回路の出力を整流平滑する回路等からなっており、二次コイルＬ１２に発生する電圧を検出する。そして、検出した電圧を示す電圧検出信号１５１を保護回路２３に出力する。
【００３２】
図３は、ＩＣ用電源制御回路１１と分圧回路１０との電気的接続を示す回路図である。同図を参照しつつ、ＩＣ用電源制御回路１１の詳細な構成について説明する。
【００３３】
制御手段１８は、詳細には、１２Ｖの直流出力Ｖ＋を、例えば、５Ｖ（制御手段１８を構成するＣＰＵの仕様に対応して、その他の電圧（３．３Ｖ等）とすることもできる）の直流出力に変換するＤＣ・ＤＣコンバータ（３端子レギュレータ等とすることもできる）１８１を備えており、制御手段１８の主要部となるマイクロコンピュータは、このＤＣ・ＤＣコンバータ１８１から出力される直流出力を動作電源として動作するようになっている。このため、直流出力Ｖ＋の電圧が５Ｖ（または３．３Ｖ等）以下に低下するような瞬間的な停電が発生するときにも、マイクロコンピュータの動作電源となる直流出力の電圧は、マイクロコンピュータに要求される最低電圧（５Ｖより少し低い電圧、または３．３Ｖより少し低い電圧等）より高い電圧に維持されるようになっている。このため、制御手段１８は、直流出力Ｖ＋の電圧が５Ｖ（または３．３Ｖ等）以下に低下するような瞬間的な停電が発生するときにも、所定の動作を継続することが可能となっている。
【００３４】
ＩＣ用電源制御回路１１は、３つのトランジスタＱ１１〜Ｑ１３、ツェナーダイオードＤ１１、５つの抵抗Ｒ１１〜Ｒ１５、および、コンデンサＣ１２によって構成されている。詳細には、トランジスタＱ１１は、電流経路の接続を開閉する素子となっている。このため、エミッタは直流出力Ｖ＋に接続されている。また、トランジスタＱ１１のベースは、ベースをエミッタ電位に引き上げる抵抗Ｒ１１を介して直流出力Ｖ＋に接続されるとともに、ベース電流を制限する抵抗Ｒ１２を介して、トランジスタＱ１２のコレクタに接続されている。また、トランジスタＱ１１のコレクタは、電圧を５Ｖに安定化するための素子であるトランジスタＱ１３のコレクタに導かれている。
【００３５】
トランジスタＱ１２のベースには、電流制限用の抵抗Ｒ１３を介して、制御手段１８からの制御出力ＣＯＮ１が導かれている。また、トランジスタＱ１２のベースと接地レベルとの間には、ベースインピーダンスの上昇を制限する抵抗Ｒ１４が接続されている。また、トランジスタＱ１２のエミッタは接地されている。また、トランジスタＱ１１のコレクタと接地レベルとの間には、直流出力Ｖ＋の電圧が低下するときにも、トランジスタＱ１１のコレクタの電圧の低下を遅らせるため、コンデンサＣ１２が接続されている。また、トランジスタＱ１３のベースには、抵抗Ｒ１５とツェナーダイオードＤ１１とによって安定化された５．１Ｖの直流電圧が印加されるようになっている。
【００３６】
ＩＣ用電源制御回路１１は上記した構成となっている。このため、制御出力ＣＯＮ１がＨレベルとなるときには、トランジスタＱ１２がオンし、トランジスタＱ１１がオンする。このため、トランジスタＱ１３のコレクタに約１２Ｖが印加されるので、エミッタからは、約５Ｖに安定化されたＩＣ用プラス出力１１１が送出される。つまり、ＩＣ素子１２に動作電源が供給される。一方、制御出力ＣＯＮ１がＬレベルとなるときには、トランジスタＱ１２がオフするので、トランジスタＱ１１がオフする。このため、トランジスタＱ１３のコレクタの電圧は０Ｖとなるので、ＩＣ用プラス出力１１１の電圧は０Ｖとなる。つまり、ＩＣ素子１２への動作電源の供給が停止される。
【００３７】
分圧回路１０は、２つの抵抗Ｒ２１，Ｒ２２によって構成されており、トランジスタＱ１１のコレクタから出力される電圧を約１／４に分圧する。つまり、制御出力ＣＯＮ１がＨレベルとなるときには、トランジスタＱ１１のコレクタから出力される直流出力Ｖ＋を分圧して制御手段１８に出力する。
【００３８】
なお、ＩＣ素子１２の動作電源の許容最低電圧は４．７Ｖとなっている。このため、ＩＣ用プラス出力１１１の電圧が４．７Ｖより低くなる事態が生じるときには、ＩＣ素子１２の動作が保証されない。このため、ＩＣ用プラス出力１１１の電圧が４．７Ｖより低くなるときには、保護回路２３において、冷陰極管１７の点灯における動作の異常が検出されて、ラッチ回路２４が非ラッチ状態からラッチ状態に移行する恐れがある。一方、ＩＣ用プラス出力１１１の電圧が４．７Ｖとなるときの直流出力Ｖ＋の電圧は、約５．３Ｖである。従って、制御手段１８は、直流出力Ｖ＋の電圧が、一時的に、５．３Ｖより低くなったことを検出したときには、上記したラッチ状態になっている可能性があるとして、制御出力ＣＯＮ１をＨレベルからＬレベルに変化させた後、再度、制御出力ＣＯＮ１をＨレベルに戻す。
【００３９】
すなわち、制御手段１８は、分圧回路１０の出力に基づき、直流出力Ｖ＋の電圧が、一時的に、冷陰極管１７の点灯動作に異常を生じさせる電圧まで低下したことを検出したときには、制御出力ＣＯＮ１をＬレベルとし、スイッチ回路の接続を開く（トランジスタＱ１１をオフにする）ことによって、ラッチ回路２４のラッチ状態を解除した後、スイッチ回路の接続を閉じる（トランジスタＱ１１をオンにする）ようになっている。
【００４０】
図４は、瞬間的な停電が生じたときの主要箇所の電圧の変化を示す説明図である。必要に応じて同図を参照しつつ、実施形態の動作を説明する。
【００４１】
ＡＣアダプタ１９に商用電源が供給されると、直流出力Ｖ＋の電圧は１２Ｖとなる（Ｖ１により示す）。いま、制御手段１８は、電源オフ状態であることから、制御出力ＣＯＮ１をＬレベルにしているとする。そして、時刻Ｔ１となったとき、電源キー３３が操作されたことから、制御出力ＣＯＮ１をＬレベルからＨレベルに変化させたとする。従って、時刻Ｔ１以前では、トランジスタＱ１１のコレクタの出力（以下では出力１１２と称する）の電圧は０Ｖであったものが、時刻Ｔ１以後では、電圧Ｖ３（１２ＶからトランジスタＱ１１による電圧降下分を差し引いた電圧）に変化する。また、ＩＣ用プラス出力１１１の電圧も、時刻Ｔ１において、０Ｖから５Ｖ（Ｖ５により示す）に変化する。
【００４２】
そして、時刻Ｔ２となったときに、時刻Ｔ２から時刻Ｔ３に至る瞬間的な停電が生じたとする。そして、時刻Ｔ３となったときでは、直流出力Ｖ＋の電圧が、５Ｖより低い電圧である電圧Ｖ２まで低下したとする。このため、出力１１２の電圧も、電圧Ｖ２より僅かに低い電圧である電圧Ｖ４まで低下する。この影響により、ＩＣ用プラス出力１１１の電圧にも、電圧の低下が生じる。時刻Ｔ４は、ＩＣ用プラス出力１１１の電圧が、ＩＣ素子１２の許容最低電圧より低くなった時刻を示している。従って、時刻Ｔ４以後では、ＩＣ素子１２の動作が保証されなくなり、冷陰極管１７の点灯の動作において、回路上の異常が無い場合であっても、異常が検出されない保証がなくなる。すなわち、保護回路２３が動作の異常を検出し、非ラッチ状態にあるラッチ回路２４をラッチ状態に移行させる恐れが生じる。
【００４３】
一方、制御手段１８は、時刻Ｔ１以後、分圧回路１０の出力を監視している。そして、分圧回路１０の出力電圧に基づいて算出される出力１１２の電圧が、電圧Ｖ７（ＩＣ用プラス出力１１１の電圧を電圧Ｖ６にする電圧）まで低下したことを検出した場合には、出力１１２の電圧がＶ７を超えるまで待機する。そして、出力１１２の電圧が電圧Ｖ７を超えたことを確認した（時刻Ｔ５）後、直流出力Ｖ＋の電圧が安定するまでの期間ｔ１の待機を行う。そして、期間ｔ１が経過した時刻Ｔ６となったとき、制御出力ＣＯＮ１をＬレベルとすることによって、ＩＣ素子１２へのＩＣ用プラス出力１１１の出力を停止する。
【００４４】
従って、時刻Ｔ４以後において、ＩＣ用プラス出力１１１の電圧の低下が原因となって生じた動作の異常により、ラッチ回路２４がラッチ状態になっていたとしても、時刻Ｔ６から時刻Ｔ７までの、ＩＣ用プラス出力１１１が０Ｖとなる期間ｔ２において、ラッチ回路２４のラッチ状態が解除される。その結果、時刻Ｔ７において、制御出力ＣＯＮ１がＬレベルからＨレベルとなり、ＩＣ用プラス出力１１１が所定の電圧となったときには、保護回路２３はスイッチング制御回路２２の動作を停止させない。このため、スイッチング回路１３がスイッチング動作を行うので、冷陰極管１７は点灯駆動されることになる。
【００４５】
図５は、第２の実施形態の詳細な電気的接続を示す回路図、図６は、制御手段の構成を示すブロック線図である。同図を参照しつつ、第２の実施形態について説明する。
【００４６】
第２の実施形態は、大別すると、図６に示すＡＣアダプタ１９、制御手段４８、および、図５に示すスイッチ回路４１、スイッチング回路４３、電流検出回路４６、輝度制御回路５１、保護回路５３を備えている。また、昇圧トランス４４、冷陰極管（放電管）１７、ダイオードＤ３２，Ｄ３３，Ｄ３６，Ｄ３７、抵抗Ｒ４０，Ｒ４３、コンデンサＣ１１を備えている。なお、ＡＣアダプタ１９、冷陰極管１７、コンデンサＣ１１は、第１の実施形態と同一である。また、直流出力Ｖ＋、制御出力ＣＯＮ１も第１の実施形態と同一である。
【００４７】
なお、輝度信号ＢＲ２は、デューティ比でもって輝度を示す信号となっている。すなわち、第１の実施形態における制御手段１８と第２の実施形態における制御手段４８との構成の差異は、輝度の指示の方法のみとなっている。つまり、第１の実施形態では、制御手段１８は、輝度信号ＢＲ１のレベルによって輝度を制御していたが、第２の実施形態では、制御手段４８は、輝度信号ＢＲ２のデューティ比によって輝度を制御するようになっているところに差異があるにすぎない。
【００４８】
ブロックのそれぞれについて詳細に説明すると、スイッチ回路４１は、一次コイルＬ４１に導かれる直流出力Ｖ＋の経路と、保護回路５３に供給される（ラッチ回路５４にも供給される）動作電源の経路（直流出力Ｖ＋の経路）との接続を開閉する。保護回路５３は、ラッチ回路５４（保護回路５３を含む）に供給される動作電源の供給を停止することによってのみラッチ状態の解除が可能なラッチ回路５４を内部に備えている。そして、冷陰極管１７の点灯における動作に異常を検出したとき（電流検出回路４６の出力である電流検出信号４６１が、電流値の低下を示すとき）には、ラッチ回路５４がラッチ状態となる。また、保護回路５３は、ラッチ回路５４がラッチ状態にあるときには、輝度制御回路５１を介して、スイッチング回路４３のスイッチング動作を停止させる。
【００４９】
冷陰極管１７は、昇圧トランス４４の二次コイルＬ４２から出力される点灯出力によって点灯駆動される。スイッチング回路４３は、昇圧トランス４４の一次コイルＬ４１に流れる電流をスイッチングする。また、制御手段４８は、直流出力Ｖ＋の電圧が、一時的に、冷陰極管１７の点灯動作に異常を生じさせる電圧まで低下したことを検出したときには、スイッチ回路４１の接続を開くことによってラッチ回路２４のラッチ状態を解除した後、スイッチ回路４１の接続を閉じる。
【００５０】
ブロックのそれぞれをより詳細に説明すると、スイッチ回路４１は、２つのトランジスタＱ３１，Ｑ３２と３つの抵抗Ｒ３１〜Ｒ３３を備えており、トランジスタＱ３１のエミッタは直流出力Ｖ＋に接続されている。また、そのベースは抵抗Ｒ３１を介して、直流出力Ｖ＋に接続されている。そして、エミッタが接地されたトランジスタＱ３２のコレクタは、トランジスタＱ３１のベースに接続されている。また、トランジスタＱ３２のベースには、抵抗Ｒ３２を介して、制御出力ＣＯＮ１が導かれている（抵抗Ｒ３３はベースインピーダンスの上昇を抑制する）。このため、スイッチ回路４１においては、制御出力ＣＯＮ１がＨレベルとなるときには、トランジスタＱ３１のコレクタから１２Ｖの直流出力Ｖ＋が送出される。一方、制御出力ＣＯＮ１がＬレベルとなるときには、直流出力Ｖ＋の送出が停止される。
【００５１】
保護回路５３は、ラッチ回路５４、トランジスタＱ３３、ツェナーダイオードＤ３１、抵抗Ｒ３４を備えており、ラッチ回路５４は、２つのトランジスタＱ３４，Ｑ３５、３つの抵抗Ｒ３５〜Ｒ３７を備えている。そして、トランジスタＱ３３のコレクタは、スイッチ回路４１を介して出力される直流出力Ｖ＋（トランジスタＱ３１のコレクタ）に接続されている。ツェナーダイオードＤ３１のカソードは、トランジスタＱ３３のベースに接続されるとともに、抵抗Ｒ３４を介して、トランジスタＱ３３のコレクタに接続されている。また、トランジスタＱ３５のエミッタは、トランジスタＱ３３のベースに接続されており、トランジスタＱ３５のベースは、トランジスタＱ３４のコレクタに接続されている。
【００５２】
トランジスタＱ３４のコレクタは、抵抗Ｒ３５を介して、トランジスタＱ３３のベースに接続され、エミッタは接地されている。また、トランジスタＱ３４のベースは、抵抗Ｒ３６を介して、トランジスタＱ３５のコレクタに接続されている。また、トランジスタＱ３５のコレクタは、抵抗Ｒ３７を介して接地されるとともに、ツェナーダイオードＤ３２のアノードに接続されている。また、トランジスタＱ３３のエミッタは、輝度制御回路５１のトランジスタＱ３６のコレクタに接続されるとともに、抵抗Ｒ４３の一方の端子に接続されている。
【００５３】
ラッチ回路５４は、上記した構成となっている。このため、スイッチ回路４１から直流出力Ｖ＋が供給されたときでは、トランジスタＱ３４，Ｑ３５は、ともにオフ状態にある。すなわち、非ラッチ状態にある。この状態において、ツェナーダイオードＤ３２のカソードに、ツェナーダイオードＤ３２に電流が流れる電圧が印加されると、トランジスタＱ３４がオン状態となり、トランジスタＱ３５のオン状態を誘う。そして、トランジスタＱ３５のオン状態はトランジスタＱ３４のオン状態を誘うというループが形成される。すなわち、ラッチ状態となる。そして、このラッチ状態は、スイッチ回路４１がオフとなって、トランジスタＱ３１のコレクタから出力される電圧が０Ｖとなるまでは解除されない。
【００５４】
一方、保護回路５３としての動作から見る場合、ラッチ回路５４が非ラッチ状態にあるときには、トランジスタＱ３３のベースは、ツェナーダイオードＤ３１のツェナー電圧に安定化されている。このため、保護回路５３は、定電圧回路として動作し、ツェナーダイオードＤ３１のツェナー電圧により定まる電圧に安定化された直流出力を、輝度制御回路５１のトランジスタＱ３６のコレクタと抵抗Ｒ４３とに出力する。その一方で、ラッチ回路５４がラッチ状態となるときには、トランジスタＱ３３のベース電位は、抵抗Ｒ３４，Ｒ３５の分圧比により定まる電圧（０Ｖ近傍の電圧）となる。従って、ラッチ回路５４がラッチ状態となるときには、トランジスタＱ３３のコレクタの電圧は、０Ｖ近傍の電圧となる。
【００５５】
輝度制御回路５１は、２つのトランジスタＱ３６，Ｑ３７、３つの抵抗Ｒ３８，Ｒ３９，Ｒ５１を備えており、トランジスタＱ３６のベースは、抵抗Ｒ５１を介して、トランジスタＱ３３のコレクタに接続されるとともに、トランジスタＱ３７のコレクタに接続されている。また、トランジスタＱ３６のエミッタは、スイッチング回路４３内の抵抗Ｒ４１，Ｒ４２の接続点に接続されている。また、トランジスタＱ３７のコレクタは、スイッチング回路４３内のダイオードＤ３４，Ｄ３５の双方のカソードに接続されている。また、トランジスタＱ３７のベースには、抵抗Ｒ３８を介して、輝度信号ＢＲ２が導かれている。また、トランジスタＱ３７のベースには、抵抗Ｒ４０が接続されており、エミッタは接地されている。また、トランジスタＱ３７のコレクタには、ダイオードＤ３３のカソードが接続されており、ダイオードＤ３３のアノードは、ツェナーダイオードＤ３２のカソードに接続されている。
【００５６】
スイッチング回路４３は、２つのＦＥＴ４３１，４３２、２つの抵抗Ｒ４１，Ｒ４２、２つのダイオードＤ３４，Ｄ３５を備えており、ＦＥＴ４３１，４３２のそれぞれのドレインは、昇圧トランス４４の一次コイルＬ４１の端子のそれぞれに接続されている。そして、ＦＥＴ４３１，４３２のソースはともに接地されている。また、ＦＥＴ４３１のゲートには、抵抗Ｒ４１の一方の端子とダイオードＤ３４のアノードとが接続されており、ＦＥＴ４３２のゲートには、抵抗Ｒ４２の一方の端子とダイオードＤ３５のアノードとが接続されている。また、ＦＥＴ４３１，４３２のゲートのそれぞれには、帰還用コイルＬ４３の端子が接続されている。
【００５７】
スイッチング回路４３と輝度制御回路５１とは上記した構成となっている。このため、輝度信号ＢＲ２がＬレベルとなって、トランジスタＱ３７がオフとなるときには、ＦＥＴ４３１，４３２のゲートには、トランジスタＱ３６を介して、保護回路５３から出力される（トランジスタＱ３３のエミッタから出力される）電圧が導かれる。また、ダイオードＤ３４，Ｄ３５は無視が可能になる。このため、ＦＥＴ４３１，４３２は自励発振を行い、二次コイルＬ４２から点灯出力が送出されて、冷陰極管１７が点灯駆動される。一方、輝度信号ＢＲ２がＨレベルとなって、トランジスタＱ３７がオンとなるときには、ＦＥＴ４３１，４３２のゲートのそれぞれは、ダイオードＤ３４，Ｄ３５とトランジスタＱ３７とを介して接地される。また、トランジスタＱ３６のエミッタ電位は０Ｖとなる。このため、ＦＥＴ４３１，４３２は自励発振を停止するので、二次コイルＬ４２からの点灯出力の送出が停止されて、冷陰極管１７が消灯する。すなわち、冷陰極管１７の輝度は、輝度信号ＢＲ２のデューティ比によって制御されることになる。
【００５８】
電流検出回路４６は、トランジスタＱ３８、２つのダイオードＤ３８，Ｄ３９、３つの抵抗Ｒ４４〜Ｒ４６、２つのコンデンサＣ３１，Ｃ３２を備えており、ダイオードＤ３８のアノードは二次コイルＬ４２の端子の一方に接続され、カソードは冷陰極管１７の端子の一方に接続されている。また、抵抗Ｒ４４の一方の端子は、二次コイルＬ４２の端子の一方に接続され、抵抗Ｒ４４の他方の端子は、コンデンサＣ３１を介して、冷陰極管１７の端子の一方に接続されている。ダイオードＤ３９のアノードは、ダイオードＤ３８のカソードに接続されている。また、ダイオードＤ３９のカソードは、コンデンサＣ３２を介して接地されるとともに、抵抗Ｒ４５の端子の一方に接続されている。そして、抵抗Ｒ４５の端子の他方は、トランジスタＱ３８のベースに接続されている。また、トランジスタＱ３８のエミッタは接地されており、ベースと接地レベルとの間にはベースインピーダンスの上昇を抑制する抵抗Ｒ４６が接続されている。そして、トランジスタＱ３８のコレクタには、抵抗Ｒ４３を介して、保護回路５３からの出力が供給されるとともに、ダイオードＤ３６を介して、ツェナーダイオードＤ３２のカソードに接続されている。
【００５９】
電流検出回路４６は上記した構成となっている。このため、冷陰極管１７の電流経路に異常が生じ、冷陰極管１７に電流が流れなくなったときには、抵抗Ｒ４４の端子間電圧が０となって、トランジスタＱ３８がオフとなる。トランジスタＱ３８がオフとなったときには、保護回路５３のトランジスタＱ３３のエミッタから出力される電圧が、抵抗Ｒ４３、ダイオードＤ３６を介して、ツェナーダイオードＤ３２のカソードに印加される。このため、ツェナーダイオードＤ３２に電流が流れる。その結果、ラッチ回路５４がトリガーされるので、ラッチ回路５４は非ラッチ状態からラッチ状態に移行する。つまり、冷陰極管１７の電流経路に電流が流れなくなるという異常な事態が生じたときには、ラッチ回路５４がラッチ状態に移行する。そして、スイッチング回路４３のスイッチング動作が停止される。
【００６０】
以上において説明した第２の実施形態においては、直流出力Ｖ＋の電圧が所定電圧（実験的に求まる電圧）より低下すると、二次コイルＬ４２の電流経路に異常が無い場合にも、ラッチ回路５４がラッチ状態に移行するという事態が生じる。すなわち、瞬間的な停電が生じたときには、ラッチ回路５４がラッチ状態となることがある。そして、ラッチ回路５４がラッチ状態となった場合、停電が終了したときにも、冷陰極管１７が点灯されないという事態が生じる。
【００６１】
このため、第２の実施形態においても、第１の実施形態と同様に、制御手段４８は、分圧回路４９を用いて直流出力Ｖ＋の電圧を監視している。そして、直流出力Ｖ＋の電圧が、一時的に、前記した所定電圧より低下したことを検出したときには、制御出力ＣＯＮ１をＬレベルとして、保護回路５３への直流出力Ｖ＋の供給を停止し、ラッチ回路５４のラッチ状態を解除する。そして後、制御出力ＣＯＮ１を、再びＨレベルとすることによって、保護回路５３、輝度信号ＢＲ２を動作状態に設定する。このため、スイッチング回路４３が動作し、冷陰極管１７が、再度、点灯駆動される。
【００６２】
【発明の効果】
以上説明したように、本発明では、ＩＣ素子に供給される動作電源の経路の接続を開閉するスイッチ回路を備え、ＩＣ素子に供給される動作電源の電圧がＩＣ素子の動作電源の許容最低電圧より一時的に低くなったことを検出したときには、スイッチ回路の接続を開くことによってラッチ回路のラッチ状態を解除した後、スイッチ回路の接続を閉じるようになっている。従って、直流電源から送出される直流出力の一時的な電圧低下が原因となって、ラッチ回路がラッチ状態に移行し、放電管が消灯されるという事態が生じた場合、ＩＣ素子への動作電源の供給が停止されてラッチ回路のラッチ状態が解除された後、ＩＣ素子への動作電源の供給が開始される。従って、このときでは、ラッチ回路は非ラッチ状態にあるので、スイッチング回路はスイッチング動作を再開する。このため、瞬間的な停電によってラッチ回路がラッチ状態に移行する事態が生じたときにも、自動的に冷陰極管の点灯を再開させることができる。
【００６３】
また本発明では、ラッチ回路に供給される動作電源の経路の接続を開閉するスイッチ回路と、前記直流電源から送出される直流出力の電圧が一時的に放電管の点灯動作に異常を生じさせる電圧まで低下したことを検出したときには、スイッチ回路の接続を開くことによってラッチ回路のラッチ状態を解除した後、スイッチ回路の接続を閉じる制御手段とを備えている。従って、直流出力の一時的な電圧低下が原因となって、ラッチ回路がラッチ状態に移行し、放電管が消灯されるという事態が生じた場合、ラッチ回路への動作電源の供給が停止されて、ラッチ回路のラッチ状態を解除された後、ラッチ回路への動作電源の供給が開始される。このため、瞬間的な停電によってラッチ回路がラッチ状態に移行したために冷陰極管が消灯されるという事態が生じたときにも、自動的に冷陰極管の点灯を再開させることができる。
【００６４】
またさらに、スイッチング回路は、スイッチング制御回路から出力されるスイッチング信号に従って一次コイルに流れる電流をスイッチングするようになっている。従って、一次コイルに流れる電流のスイッチングを他励方式により行う構成において、好適に冷陰極管の点灯を自動で再開させることができる。
【００６５】
またさらに、スイッチング回路は、昇圧トランスに巻回された帰還用コイルの出力に基づいて自励発振を行うことにより、一次コイルに流れる電流をスイッチングするようになっている。従って、一次コイルに流れる電流のスイッチングを自励方式により行う構成において、好適に冷陰極管の点灯を自動で再開させることができる。
【図面の簡単な説明】
【図１】本発明に係る放電管点灯装置の第１の実施形態の電気的構成を示すブロック線図である。
【図２】スイッチング回路の電気的接続を示す回路図である。
【図３】ＩＣ用電源制御回路と分圧回路との電気的接続を示す回路図である。
【図４】主要経路の電圧変化を示す説明図である。
【図５】第２の実施形態の電気的接続を示す回路図である。
【図６】制御手段の電気的構成を示すブロック線図である。
【図７】従来技術の電気的構成を示すブロック線図である。
【符号の説明】
１１  ＩＣ用電源制御回路（スイッチ回路）
１２  ＩＣ素子
１３  スイッチング回路
１４  昇圧トランス
１７  冷陰極管（放電管）
１８  制御手段
１９  ＡＣアダプタ（直流電源）
２２  スイッチング制御回路
２３  保護回路
２４  ラッチ回路
３３  電源キー
４１  スイッチ回路
４３  スイッチング回路
４４  昇圧トランス
４８  制御手段
５３  保護回路
５４  ラッチ回路
Ｌ１１  一次コイル
Ｌ１２  二次コイル
Ｌ４１  一次コイル
Ｌ４２  二次コイル
Ｌ４３  帰還用コイル
Ｖ＋  直流出力
【図１】
2004355865.tif 000003
【図２】
2004355865.tif 000004
【図３】
2004355865.tif 000005
【図４】
2004355865.tif 000006
【図５】
2004355865.tif 000007
【図６】
2004355865.tif 000008
【図７】
2004355865.tif 000009